(57)【要約】【課題】子供の体格に応じて足を自然な状態で載せることができる足載せ面を設けた幼児用着座構造付シートを提供すること。【解決手段】幼児用着座構造付シートは、シートクッション１１の前部に形成され且つ少なくとも前記シートクッション１１の上面１４ａに開口する収納空間２１と、前記収納空間２１に嵌着されたときには通常のシートクッション１１の一部として使用され且つ前記収納空間２１から取り外されて前記シートクッション１１の後部上に装着されたときには幼児用シートとして使用されるクッション部材１５を備えている。しかも、前記収納空間内２１に足載せ台（２０、５３）を高さ調整可能に装着している。【選択図】  図２
2005225304.tif 000002
【特許請求の範囲】
【請求項１】
シートクッションの前部に形成され且つ少なくとも前記シートクッションの上面に開口する収納空間と、前記収納空間に嵌着されたときには通常のシートクッションの一部として使用され且つ前記収納空間から取り外されて前記シートクッションの後部上に装着されたときには幼児用シートとして使用されるクッション部材を備える幼児用着座構造付シートにおいて、
前記収納空間内に足載せ台を高さ調整可能に装着したことを特徴とする幼児用着座構造付シート。
【請求項２】
前記足載せ台は上下面を反転可能に前記収納空間内に配設されていることを特徴とする請求項１に記載の幼児用着座構造付シート。
【請求項３】
前記収納空間が前記シートクッションの上面及び前面に開放させられ、前記収納空間の左右側方に昇降板が高さ調整可能にそれぞれ装着され、前記足載せ台が前後動可能に前記昇降板に保持されていると共に、前記足載せ台は前記収納空間から前側に引き出された後に後縁部を中心に上方及び後方に反転回動可能に前記昇降板に保持されていることを特徴とする請求項２に記載の幼児用着座構造付シート。
【請求項４】
前記昇降板には前後に延びて前端に開放し且つ開放端部の前スリット部の幅がそれより後方の後スリット部の幅より小幅に形成されたガイドスリットが設けられ、前記足載せ台の側面の前部及び後部に前記後スリット部に挿入された前ガイドピン及び後ガイドピンがそれぞれ設けられていると共に、前記前ガイドピンは前記前スリット部の幅より小径に形成されて前記前スリット部内を前側に移動可能に設けられ、前記後ガイドピンは前記前スリット部の幅より大径に形成されて前記前スリット部内を前側に移動不能に設けられていることを特徴とする請求項３に記載の幼児用着座構造付シート。
【請求項５】
前記足載せ台は前記クッション部材を前記収納空間内に収納する際に前記収納空間の最下部に自動復帰可能に設けられていることを特徴とする請求項１に記載の幼児用着座構造付シート。
【請求項６】
前記収納空間の側部に配設されたブラケットに上下に延びるガイドスリットが形成され、前記足載せ台の側部に設けられたガイド突起が前記ガイドスリット内に上下動可能に挿入され、前記ガイドスリットに対して挿脱可能に設けられて前記ガイドスリットに挿入されたときには前記ガイド突起を支持可能な支持部材が前記収納空間の外側に配設されていると共に、前記クッション部材を前記収納空間内に収納する際に前記クッション部材で押圧可能な操作部材が前記収納空間の壁部に設けられ、前記操作部材が押圧されたとき前記操作部材に連動して前記支持部材を前記ガイドスリットから抜き取り前記支持部材による前記ガイド突起の支持を解除させる連動機構が設けられていることを特徴とする請求項５に記載の幼児用着座構造付シート。
【請求項７】
前記収納空間の側部に配設されたブラケットに上下に延びるガイドスリットが形成され、下方に向けて延び且つ上端を前記ガイドスリットに開放させた係止切欠が前記ブラケットに設けられていると共に、前記足載せ台の側部に設けられたガイド突起が上下動可能に且つ前記係止切欠に係止可能に前記ガイドスリット内に挿入されていることを特徴とする請求項１に記載の幼児用着座構造付シート。
【発明の詳細な説明】
【技術分野】
【０００１】
この発明は、乗物のシートクッションの前側の一部のクッション部材を後部上に載置することにより幼児用シートを構成できるようにした幼児用着座構造付シートに関するものである。
【背景技術】
【０００２】
この種の幼児用着座構造付シートとしては、例えば図１５に示したようにシートクッション１の前側の部分に上面（座面）１ａ及び前面１ｂに開放する収納凹部２を形成し、この収納凹部２内にクッション部材３を装着した構成のジュニアシート組込みシートが知られている（例えば、特許文献１参照）。
【０００３】
このジュニアシート組込みシートにおいては、図１５に示したようにクッション部材３を収納凹部２内に装着した状態では通常の使用ができ、図１６に示したようにクッション部材３を上面（座面）１ａの後部上に重ねた状態ではクッション部材３をジュニアシートとして使用できるようにしている。また、この構成においては、収納凹部２の底部４に足を置くことができる。
【特許文献１】特開２００３−２６７１０１号公報
【発明の開示】
【発明が解決しようとする課題】
【０００４】
しかしながら、底部４は固定されているために、子供の体格によっては足が底部４に届かず宙に浮いたり、又は足を窮屈に曲げたりすることが余儀なく生ずる場合があった。
【０００５】
そこで、この発明は、子供の体格に応じて足を自然な状態で載せることができる足載せ面を設けた幼児用着座構造付シートを提供することを目的とするものである。
【課題を解決するための手段】
【０００６】
この目的を達成するため、この発明は、シートクッションの前部に形成され且つ少なくとも前記シートクッションの上面に開口する収納空間と、前記収納空間に嵌着されたときには通常のシートクッションの一部として使用され且つ前記収納空間から取り外されて前記シートクッションの後部上に装着されたときには幼児用シートとして使用されるクッション部材を備える幼児用着座構造付シートにおいて、前記収納空間内に足載せ台を高さ調整可能に装着した幼児用着座構造付シートとしたことを特徴とする。
【発明の効果】
【０００７】
この構成によれば、クッション部材を収納空間から取り外して前記シートクッションの後部上に装着させることにより、クッション部材を幼児用シートとして使用する場合において、収納空間内の足載せ台を高さ調整することで、載せ台の上面を子供の体格に応じて足を自然な状態で載せることができる足載せ面とすることができる。これにより、安定した着座状態を提供できる。
【発明を実施するための最良の形態】
【０００８】
以下、この発明の実施の形態を図面に基づいて説明する。
[構成]
図１〜図３において、１０は例えば自動車等の車両（乗物）のシート、１１はシート１０のシートクッション、１２はシートクッション１１後部に装着されたシートバックである。
【０００９】
このシートクッション１１は、図１，図２に示したようにクッションフレーム１３と、前側中央部に切欠を有する第１のクッション部材１４と、前側中央部を覆う第２のクッション部材１５を有する。このクッション部材１４は、クッションフレーム１３の前側中央部以外の上部及び周面を覆っている。また、クッション部材１５の上部後縁部はクッション部材１４に表皮部材の一部であるヒンジ部１５ａにより結合されている。
【００１０】
このクッションフレーム１３は、図４に示したように、方形枠状のフレーム本体１６と、このフレーム本体１６の左右の部分に配設された補強パネル（補強部材、補強板）１７，１７と、補強パネル１７，１７間に配設された補強パネル（補強部材、補強板）１８を有する。
【００１１】
この補強パネル１７，１７は、前後に向けて延びていると共に、前端部及び後端部がフレーム本体１６の前端部及び後端部に溶接固定されている。また、補強パネル１８は、左右に向けて延びていると共に、両端部が補強パネル１７，１７の前後方向の略中央部（中間部）に溶接固定されている。
【００１２】
そして、図４の補強パネル１７，１７及び１８で囲まれる部分には、補強パネル１７，１７に沿わせた昇降板１９，１９と、昇降板１９，１９間に配設された足載せ台２０が配設されている。この足載せ台２０は、図２に示したようにシートクッション１１の下端部側に配設されている。
【００１３】
また、シートクッション１１には、図２に示したようにクッション部材１４の上面（座面）１４ａ及び前面１４ｂに開放する収納空間２１が形成されている。この収納空間２１にはクッション部材１５が嵌合できるようになっている。
【００１４】
この収納空間２１は、クッション部材１４の部分に形成される上側の部分と、補強パネル１７，１７，１８、昇降板１９，１９及び足載せ台２０で囲まれる下側の部分を有する。
【００１５】
この昇降板１９には、図９，図１１に示したように前後に延びて前端に開放するガイドスリット２２が形成されている（図１０参照）。このガイドスリット２２は、開放端部側の前スリット部２２ａと、その後方の後スリット部２２ｂを有する。しかも、前スリット部２２ａの上下方向の幅（寸法）ａは後スリット部２２ｂの幅ｂより小幅（寸法）に形成されている。
【００１６】
また、昇降板１９の後端部には、図９，図１１に示したように上方に開放する係止切欠２３が形成されている。この係止切欠２３の前側の面２３ａは後側に向けて下方に傾斜させられている。これにより係止切欠２３は、上端部の間隔が下端部の間隔よりも広く形成されている。
【００１７】
しかも、昇降板１９の外側面（足載せ台２０とは反対側の面）の前部にはフランジ２４ａが設けられた前ガイドピン（ガイド突起）２４が一体に設けられ、昇降板１９の外側面の後部にはフランジ２５ａが設けられた前ガイドピン（ガイド突起）２５が一体に設けられている。
【００１８】
また、図９，図１１に示したように、足載せ台２０の側面の前部には前ガイドピン２６が一体に設けられ、足載せ台２０の側面の後部にはフランジ２７ａを有する後ガイドピン２７が一体に設けられている。そして、通常は、前ガイドピン２６及び後ガイドピン２７がガイドスリット２２の後スリット部２２ｂ内に挿入されている。
【００１９】
また、前ガイドピン２６は前スリット部２２ａの幅ａより小径に形成されて前スリット部２２ａ内を前側に移動可能に設けられ、後ガイドピン２７は前スリット部２２ａの幅ａより大径に形成されて前スリット部２２ａ内を前側に移動不能に設けられている。
【００２０】
更に、図４に示したように、収納空間２１の側部、即ち補強パネル１７，１７の対向面とは反対側の面にはブラケット２８，２８が配設されている。このブラケット２８，２８は図５，図６に示した補強パネル１７，１７に溶接又はネジ等の固定手段で固定されたガイド板２９，２９と、この各ガイド板２９に溶接固定されたスリット形成用の一対のブラケット３０，３０を有する。
【００２１】
このガイド板２９には上下に延びる一対の長孔２９ａ，２９ａが形成され、各長孔２９ａ，２９ａに対応してブラケット３０がそれぞれ設けられている。また、各ブラケット３０は、コ字状折曲部３０ａと、コ字状折曲部３０ａの一側部に一体に形成されてガイド板２９に固定されたフランジ部３０ｂと、コ字状折曲部３０ａの他側部に一体に形成され且つ長孔２９ａ内に配設されたスリット形成板部３０ｃを有する。
【００２２】
そして、この長孔２９ａ，２９ａ内に配設されたスリット形成板部３０ａとガイド板２９との間に上下に環状に延びるガイドスリット３１が形成されている。このガイドスリット３１は、上下に直線状に延びる後側の縦スリット部３１ａと、上下に直線状に延びる前側の縦スリット部３１ｂと、縦スリット部３１ａの上下端から縦スリット部３１ｂに対して下方及び上方に傾斜する上傾斜スリット部３１ｃ及び下傾斜スリット部３１ｄを有する。
【００２３】
尚、コ字状折曲部３０ａは、凹部側がガイドスリット３１の一部に対向させられている。しかも、各補強パネル１７には、一対のガイドスリット３１，３１に対応する挿通孔１７ａ，１７ａが形成されている。
【００２４】
そして、昇降板１９のガイドピン２４，２５は、挿通孔１７ａ，１７ａを介してガイドスリット３１，３１内に挿通されて、ガイドスリット３１，３１内を上下動可能（昇降自在）になっている。
【００２５】
また、ガイド板２９の両側上部には、ガイドスリット３１，３１の上端部に対応して補強パネル１７とは反対側に突出するチャンネル状（コ字状）のガイド（ガイドバー、ガイド部材）３２，３２が一体に溶接固定されている。このガイド３２，３２は互いに対向するガイド溝３２ａ，３２ａを有する。
【００２６】
そして、ガイド溝３２ａ，３２ａには可動パネル（可動部材であるスライド部材）３３の両側部が図５に示したようにスライド可能に保持されている。これにより可動パネル３３はガイド板２９に対して進退動可能に設けられている。この可動パネル３３は、図４に示した如くこの可動パネル３３とガイド板２９との間に張設（介装）したコイルスプリング３４によりガイド板２９側に付勢されている。
【００２７】
この各可動パネル３３のガイド板２９側の側面には、図５，図６に示したように縦スリット部３１ｂの略上端部に対向する保持ピン（支持ピン、支持部材）３５，３５が突設されている。この保持ピン３５，３５は、可動パネル３３がコイルスプリング３４のバネ力でガイド板２９側に付勢されていることにより、先端部が縦スリット部３１ｂの略上端部内に挿入されて、昇降板１９のガイドピン（ガイド突起）２４，２５のフランジ２４ａ，２５ａを支持できるようになっている。
【００２８】
また、図４に示したように補強パネル（壁部）１８の収納空間２１とは反対側の面の両側部には折曲したブラケット３６，３６の両端部が溶接固定されている。この各ブラケット３６には図７に示したように斜め下方に傾斜する傾斜板部３６ａが形成され、この傾斜板部３６ａには挿通孔３７が形成されている。また、補強パネル１８とブラケット３６との間には空間３８が形成され、補強パネル１８には挿通孔３７より上方に位置させた挿通孔３９が形成されている。
【００２９】
そして、挿通孔３７，３９には軸状のレバー（操作部材）４０が挿通されている。これによりレバー４０は、一端部が収納空間２１内に斜め上方に向けて突出させられている。しかも、このレバー４０の中間部には空間３８内に位置するフランジ４１が設けられ、このフランジ４１と傾斜板部３６ａとの間にはコイルスプリング（付勢手段）４２が介装されている。これにより、レバー４０は、一端部が収納空間２１内に突出する方向に付勢されている。尚、レバー４０は、クッション部材１４を収納空間２１内に収納する際に、クッション部材１４で押圧可能に設けられている。
【００３０】
また、図４のレバー（操作部材）４０が押圧されたとき、レバー４０に連動して保持ピン（支持部材）３５，３５をガイドスリット３１，３１から抜き取り保持ピン３５，３５によるガイドピン（ガイド突起）２４，２５の支持を解除させる連動解除機構４３が設けられている。
【００３１】
この連動解除機構４３には、フレーム本体１６のブラケット１６ａ及び補強パネル１７に保持されたチューブ４４と、チューブ４４に保持され且つ両端部がレバー４０の下端部及び可動パネル３３に保持されたワイヤ４５を有する。ブラケット１６ａは可動パネル３３の略中央に対応して設けられ、このブラケット１６ａにチューブの端部が保持されている。
[作用]
次に、このような構成の幼児用着座構造付シートの作用を説明する。
【００３２】
通常、図１に示すように足載せ台２０を最下端に位置させると共に、クッション部材１５を収納空間２１内に嵌合させて、クッション部材１４，１５の上面同士を面一にしておく。この状態では、シート１０を通常の状態で使用できる。
【００３３】
また、幼児等が使用する場合には、ヒンジ部１５ａを中心に上部後方に回転するようにクッション部材１５を収納空間２１内から抜き取って、抜き取ったクッション部材１５をクッション部材１４の後部上に重ねる。この状態では、クッション部材１５の下面であった幼児着座面（幼児着座部）１５ｂが上方を向くことになる。
【００３４】
尚、図示は省略したが、クッション部材１５の後端部は図示しないベルトや固定金具を用いた固定手段でクッションフレーム１３の後縁部等に固定して使用する。
【００３５】
また、図９（イ）の如く足載せ台２０を前側に引き出すことにより、足載せ台２０の前ガイドピン２６を昇降板１９の前スリット部２２ａから引き出すと共に、足載せ台２０の後ガイドピン２７を昇降板１９の後スリット部２２ｂの前端部まで移動させる。
【００３６】
そして、この位置で足載せ台２０を図９（ロ）の如く後ガイドピン２７を中心に上方に回動させた後、足載せ台２０を図９（ハ）の如く後方に反転させて、足載せ台２０の前ガイドピン２６を昇降板１９の係止切欠２３に係止させる。
【００３７】
この状態では、足載せ台２０の下面であった一面２０ａが上方を向いて足載せ面（足載せ部）になる。この状態で、例えば幼児４６が靴を履いたまま足４６ａを一面２０ａ上に載せて使用する。この場合、一面２０ａは泥や埃等で汚れることも考えられる。
【００３８】
この足載せ台２０は通常最下部に位置しているが、図２に示した足載せ台２０を使用する幼児４６にとって足載せ台２０が低い場合には、足載せ台２０を上述したように反転する前に上方に移動させて高さ調整をする。
【００３９】
この場合、足載せ台２０を持ち上げることにより昇降板１９を足載せ台２０と一体に上方に移動させて、昇降板１９のガイドピン２４，２５を図５，図６の縦スリット部３１ａ，３１ａに沿って上方に移動させる。
【００４０】
この後、ガイドピン２４，２５を図５，図６の上傾斜スリット部３１ｃ，３１ｃに沿って前側の縦スリット部３１ｂ，３１ｂ側に移動させて、ガイドピン２４，２５を図１０に示したように可動パネル３３の保持ピン３５，３５上に当接支持させる。これにより、足載せ台２０は上部の位置に調整されることになる。この位置で、足載せ台２０を上述したように反転させて一面２０ａを上方に向けて使用する。
【００４１】
また、上述したクッション部材１５を収納空間２１内に収納する前には、足載せ台２０を上述とは逆に反転させて最初の状態に戻し、足載せ台２０が泥や埃等で汚れていない他面２０ｂを上方に向ける。この状態で、クッション部材１５を収納空間２１内に収納する。
【００４２】
この際、クッション部材１５が図２，図４，図７，図８のレバー４０を図４のコイルスプリング３４のバネ力に抗して押して、このレバー４０がワイヤ４５を下方に引っ張ることになる。この下方に引っ張られるワイヤ４５は、図４の可動パネル３３をコイルスプリング３４のバネ力に抗してガイド板２９から離反する方向に移動させる。これにより、図１０の可動パネル３３の保持ピン３５，３５は、図中可動パネル３３と一体に左方に移動して、昇降板１９のガイドピン２４，２５の下方から左方に外れて、ガイドピン２４，２５の支持を解除することになる。
【００４３】
この結果、昇降板１９及び足載せ台２０が下方に降下させられ、ガイドピン２４，２５が前側の縦スリット部３１ｂ，３１ｂ内を降下する。この後、ガイドピン２４，２５は、下傾斜スリット部３１ｄ，３１ｄ内を後方に移動させられて、後側の縦スリット部３１ａ，３１ａに臨むことになる。
【００４４】
そして、クッション部材１５は、収納空間２１内に嵌合されると共に、幼児着座面１５ｂが足載せ台２０の泥等で汚れていない他面２０ｂ上に当接することになる。従って、次の使用に際しても、クッション部材１５の幼児着座面１５ｂは汚れていない状態で使用できる。
＜変形例＞
以上説明した実施例では、クッション部材１５を収納空間内に収納する際、足載せ台２０を自動的に最下部の位置に移動させる構成としたが、必ずしもこの構成に限定されるものではない。
【００４５】
例えば、図１２示したように、収納空間２１の側部に配設するブラケット５０に上下に延びるガイドスリット５１を形成し、下方に向けて延び且つ上端をガイドスリット５１に開放させた係止切欠５２をブラケット５０に上下に間隔をおいて複数設けると共に、図１３の足載せ台５３の側部に設けたガイドピン（ガイド突起）５４，５４を図１４のように係止切欠５２に係止可能に且つ上下動可能に図１２のガイドスリット５１内に挿入した構成としても良い。５４ａはガイドピン５４の抜け規制用のフランジである。
【００４６】
尚、ブラケット５０は、収納空間２１の左右の両側部の挿通孔１７ａ，１７ａに対応して、補強パネル１７，１７の対向面とは反対側の面に固定される。
【００４７】
この構成によれば、係止切欠５２を図１２のように上下に所定ピッチで複数設けることで、足載せ台５３の高さを段階的に容易に微調整できる。尚、係止切欠５２は一つであっても良い。
【００４８】
尚、この変形例における足載せ台５３に代えて上述した足載せ台２０及び昇降板１９の構成を用いても良い。この場合には、昇降板１９のガイドピン２４，２５の係止位置を複数の係止切欠５２のいずれかに係止させて、昇降板１９の高さを変えることで、足載せ台２０の高さを調整できると共に、足載せ台２０を反転させて使用することができる。
【００４９】
以上説明したように、この発明の実施の形態の幼児用着座構造付シートは、シートクッション１１の前部に形成され且つ少なくとも前記シートクッション１１の上面１４ａに開口する収納空間２１と、前記収納空間２１に嵌着されたときには通常のシートクッション１１の一部として使用され且つ前記収納空間２１から取り外されて前記シートクッション１１の後部上に装着されたときには幼児用シートとして使用されるクッション部材１５を備えている。しかも、前記収納空間内２１に足載せ台（２０、５３）を高さ調整可能に装着している。
【００５０】
この構成によれば、クッション部材１５を収納空間から取り外して前記シートクッション１１の後部上に装着させることにより、クッション部材１５を幼児用シートとして使用する場合において、収納空間２１内の足載せ台（２０、５３）を高さ調整することで、足載せ台（２０、５３）の上面（一面２０ａ）を子供の体格に応じて足を自然な状態で載せることができる足載せ面とすることができる。これにより、安定した着座状態を提供できる。
【００５１】
また、発明の実施の形態の前記足載せ台２０は上下面を反転可能に前記収納空間２１内に配設されている。
【００５２】
この構成によれば、足載せ台２０の片面（一面２０ｂ）が土足で汚れても、クッション部材１５を収納空間２１内に収納する前に、足載せ台２０を反転させて下方に向けると共に、足載せ台２０の残りの片面（他面２０ａ）を上方に向けておくことで、クッション部材１５を収納空間２１に収納して足載せ台２０に当接させても、クッション部材１５の幼児着座部（幼児着座面１５ｂ）に泥汚れ等が付着するのを防止できる。
【００５３】
尚、従来であると、収納凹部の底部（足載せ面）が固定されていたため、底部に泥汚れ等がある場合において、クッション部材を収納凹部（収納空間）内に収納したとき、底部に泥汚れ等がクッション部材の幼児着座部に付着して、幼児着座部が汚れるが、この発明の実施例ではクッション部材１５の幼児着座部（幼児着座面１５ｂ）が汚れることがない。
【００５４】
更に、この発明の実施の形態においては、前記収納空間２１が前記シートクッション１１の上面１４ａ及び前面に開放させられ、前記収納空間２１の左右側方に昇降板１９，１９が高さ調整可能にそれぞれ装着され、前記足載せ台２０が前後動可能に前記昇降板１９，１９に保持されていると共に、前記足載せ台２０は前記収納空間２１から前側に引き出された後に後縁部を中心に上方及び後方に反転回動可能に前記昇降板１９，１９に保持されている。この構成によれば、足載せ台２０を簡単な構成で容易に反転させることができる。
【００５５】
また、この発明の実施の形態において、前記昇降板１９には前後に延びて前端に開放し且つ開放端部の前スリット部２２ａの幅ａがそれより後方の後スリット部２２ｂの幅ｂより小幅に形成されたガイドスリット２２が設けられている。しかも、前記足載せ台２０の側面の前部及び後部には前記後スリット部２２ｂに挿入された前ガイドピン２６及び後ガイドピン２７がそれぞれ設けられている。更に、前記前ガイドピン２６は前記前スリット部２２ａの幅ａより小径に形成されて前記前スリット部２２ａ内を前側に移動可能に設けられ、前記後ガイドピン２７は前記前スリット部２２ａの幅ａより大径に形成されて前記前スリット部２２ａ内を前側に移動不能に設けられている。この構成によれば、足載せ台２０を反転させる構造を簡単にできる。
【００５６】
また、この発明の実施の形態の前記足載せ台２０は前記クッション部材１５を前記収納空間２１内に収納する際に前記収納空間２１の最下部に自動復帰可能に設けられている。この構成によれば、幼児着座部（幼児着座面１５ｂ）を有するクッション部材１５の収納空間２１への収納時に、足載せ台２０を最下部に移動させる操作を簡略化できる。
【００５７】
また、この発明の実施の形態では、前記収納空間２１の側部に配設されたブラケット２８に上下に延びるガイドスリット３１が形成されている。しかも、前記足載せ台２０の側部に設けられたガイド突起（ガイドピン２４，２５）が前記ガイドスリット３１内に上下動可能に挿入されている。また、前記ガイドスリット３１に対して挿脱可能に設けられて前記ガイドスリット３１に挿入されたときには前記ガイド突起（ガイドピン２４，２５）を支持可能な支持部材（保持ピン３５，３５）が前記収納空間２１の外側に配設されている。更に、前記クッション部材１５を前記収納空間２１内に収納する際に前記クッション部材１５で押圧可能な操作部材（レバー４０）が前記収納空間２１の壁部（補強パネル１８）に設けられている。また、前記操作部材（レバー４０）が押圧されたとき前記操作部材（レバー４０）に連動して前記支持部材（保持ピン３５，３５）を前記ガイドスリット３１から抜き取り前記支持部材（保持ピン３５，３５）による前記ガイド突起（ガイドピン２４，２５）の支持を解除させる連動解除機構４３が設けられている。
この構成によれば、幼児着座部を有するクッション部材の収納空間への収納時に、足載せ台を最下部に自動的に移動（降下）させる操作を簡単な構成で実現できる。
【００５８】
また、この発明の実施の形態では、前記収納空間２１の側部に配設されたブラケット５０に上下に延びるガイドスリット５１が形成され、下方に向けて延び且つ上端を前記ガイドスリット５１に開放させた係止切欠５２が前記ブラケット５０に設けられていると共に、前記足載せ台（２０，５３）の側部に設けられたガイド突起（ガイドピン２４，２５、５４，５４）が上下動可能に且つ前記係止切欠５２に係止可能に前記ガイドスリット５１内に挿入されている。
【００５９】
この構成によれば、係止切欠を複数設けることで、足載せ台の高さを段階的に容易に調整できる。
【図面の簡単な説明】
【００６０】
【図１】この発明に係る幼児用着座構造付シートの斜視図である。
【図２】図１に示した幼児用着座構造付シートの使用例を示す部分拡大斜視図である。
【図３】図１の幼児用着座構造付シートの使用例を示す側面図である。
【図４】図１〜図３のシートクッションのクッションフレームの平面図である。
【図５】図４のブラケットと可動パネルとの関係を示す正面図である。
【図６】図５のブラケットと可動パネルとの関係を示す分解斜視図である。
【図７】図４のＡ１−Ａ１線に沿う断面図である。
【図８】図１，２のサブのクッション部材とレバーとの関係を示す作用説明図である。
【図９】図１，２の足載せ台と昇降板の関係を示す側面図である。
【図１０】図５のＡ２−Ａ２線に沿う断面図である。
【図１１】図９，１０の昇降板とサブのクッション部材との関係を示す分解斜視図である。
【図１２】この発明の変形例を示すブラケットの斜視図である。
【図１３】この発明の足載せ台の他の例を示す斜視図である。
【図１４】図１２のブラケットに図１３の足載せ台を組み込んだ状態で図１２をＡ３−Ａ３線に沿って断面した断面図である。
【図１５】従来の幼児用着座構造付シートの一例を示す斜視図である。
【図１６】図１５の幼児用着座構造付シートの使用例を示す斜視図である。
【符号の説明】
【００６１】
１１…シートクッション
１４ａ…上面
１５…クッション部材
１５ｂ…幼児着座面（幼児着座部）
１８…補強パネル（壁部）
１９…昇降板
２０…足載せ台
２０ａ…一面（上面）
２０ｂ…他面（片面）
２１…収納空間
２２…ガイドスリット
２２ａ…前スリット部
２２ｂ…後スリット部
２４…前ガイドピン（ガイド突起）
２５…後ガイドピン（ガイド突起）
２６…前ガイドピン（ガイド突起）
２７…後ガイドピン（ガイド突起）
２８…ブラケット
３１…ガイドスリット
３５…保持ピン（支持部材）
４０…レバー（操作部材）
５０…ブラケット
５１…ガイドスリット
５２…係止切欠
５３…足載せ台
５４…ガイドピン（ガイド突起）
【図１】
2005225304.tif 000003
【図２】
2005225304.tif 000004
【図３】
2005225304.tif 000005
【図４】
2005225304.tif 000006
【図５】
2005225304.tif 000007
【図６】
2005225304.tif 000008
【図７】
2005225304.tif 000009
【図８】
2005225304.tif 000010
【図９】
2005225304.tif 000011
【図１０】
2005225304.tif 000012
【図１１】
2005225304.tif 000013
【図１２】
2005225304.tif 000014
【図１３】
2005225304.tif 000015
【図１４】
2005225304.tif 000016
【図１５】
2005225304.tif 000017
【図１６】
2005225304.tif 000018